(57)【要約】【課題】ケースの開口部にヒンジにより開閉するキャップを備えた電源ソケットにおいて、外力によるキャップの脱落や破損のおそれをなくする。【解決手段】キャップ７０がケース２の開口端に対向する主部７１と、主部７１から外方に延長された拡径部７２（７２ａ〜７２ｃ）とを有し、ケース２には、フランジ１４から開口端より上方まで軸方向に延び、キャップ７０を閉じたときに拡径部７２の側縁７３と対向する側縦壁１９を備えるストップブロック１５（１５ａ〜１５ｃ）を設ける。キャップ７０に横方向からの外力が作用しても、拡径部７２とストップブロック１５が係合してキャップ７０の大きな変位を阻止するから、ヒンジＨ部などの破損が防止される。【選択図】図１
2013105696.tif 000002
【特許請求の範囲】
【請求項１】
ケースの開口部にヒンジにより開閉するキャップを備えた電源ソケットにおいて、
前記開口部の外周と前記キャップの一方に外方に延びる凸部を設け、他方に凹部を設けて、
該凸部と凹部が前記キャップを閉じたときに周方向に係合するように配置してあることを特徴とする電源ソケット。
【請求項２】
前記キャップは、前記開口部に対向する主部と、該主部から外方に延長された拡径部とを有して、該拡径部を前記凸部とし、
該拡径部はキャップを閉じたときに前記開口部の外側を囲むように設定された周方向壁を備え、
前記開口部には、前記開口部の外周に連なって軸方向に延び、キャップを閉じたときに前記拡径部の側縁と対向する側壁を備える複数のブロックが設けられて、前記開口部の周方向における前記ブロック間を前記凹部とすることを特徴とする請求項１に記載の電源ソケット。
【請求項３】
前記拡径部はそれぞれ外広がりで前記主部の周上３方に延びていることを特徴とする請求項２に記載の電源ソケット。
【発明の詳細な説明】
【技術分野】
【０００１】
本発明は、例えば車両等に装備されてシガーライタやその他の電気製品のプラグを挿入することにより電源を供給する電源ソケットに関する。
【背景技術】
【０００２】
この種の電源ソケットは電気製品のプラグを挿入するため、必然的にそのケース正面に開口を備えるものとなるが、従来より当該開口部をカバーするキャップを備えるものが多い。キャップの目的としては美観向上のほか、ケースへのプラグ以外の異物の挿入を防止することにあり、とくに車両のドア内壁に装備されるような場合などには雨天時に水が浸入するのを阻止するのにも役立つ。
このようなキャップを備える電源ソケットとして、本出願人は先に特開２００１−３５７９４７号公報に示すものを提案している。
【０００３】
この電源ソケットでは、ケースの開口部の外周に鍔部を設け、鍔部に設置したヒンジ（蝶番部）で回動自在に支持したキャップ（蓋体）により開口部をカバーするようになっている。
ヒンジは、鍔部から立ち上がって軸支孔を備える舌片と、キャップから延びて軸部を備える突片とからなり、突片の軸部を舌片の軸支孔に嵌め込んで構成してある。
キャップは周縁に側壁を有する円形の外観を有し、その突片に対して直径方向反対側に爪を設けている。突片の軸部を回動軸としてキャップを開口部の正面へ回動させ、爪を鍔部に設けた係止部に押し込んで引っ掛けることにより開口部を閉塞状態に保持する。
【先行技術文献】
【特許文献】
【０００４】
【特許文献１】特開２００１−３５７９４７号公報
【発明の概要】
【発明が解決しようとする課題】
【０００５】
上述した既提案の電源ソケットでは、キャップに外力が加わった場合、キャップを開く方向には爪と係止部の係合により所定の外力までは耐えることができる。
しかし、例えばキャップの回動軸と平行な横方向からの外力がキャップに加わったときには、爪と係止部は互いに滑るだけで外力を受け止めることができない。この結果、キャップの側壁を開口部のヒンジから略半径位置の外周面で受け止めることになる。
ところが、キャップの側壁の板厚は特段厚くしてあるわけではないので剛性が低く、外力の大きさによっては変形してケースの開口縁に乗り上げるおそれがある。
【０００６】
ここで、キャップの開閉を容易にするため、キャップの側壁とケースの開口部外周との間には所定の間隙を設けてあり、側壁と開口部外周が当接するまでキャップを変位させるとヒンジに捻れ（ねじれ）を与えることになるが、さらにキャップの側壁が開口縁に乗り上げることになるとヒンジに極端な捻れを与え、突片の軸部が舌片の軸支孔から外れてキャップが脱落し、あるいは軸部が軸支孔から外れない場合にはヒンジ部が破損する可能性が考えられる。
【０００７】
したがって本発明は、上記にかんがみ、外力によるキャップの脱落や破損のおそれのない改良された電源ソケットを提供することを目的とする。
【課題を解決するための手段】
【０００８】
このため本発明は、ケースの開口部にヒンジにより開閉するキャップを備えた電源ソケットにおいて、上記開口部の外周とキャップの一方に外方に延びる凸部を設け、他方に凹部を設けて、該凸部と凹部がキャップを閉じたときに周方向に係合するように配置してあるものとした。
【発明の効果】
【０００９】
キャップに横方向からの外力が作用しても、凸部が開口部の凹部に係合してキャップの大きな変位を阻止し、これによりガタが抑制され、ヒンジ部の破損などが防止される。
【図面の簡単な説明】
【００１０】
【図１】本発明の実施の形態を示す図である。
【図２】実施の形態の拡大断面図である。
【図３】フューズの構成を示す図である。
【図４】アウタケースの構成を示す図である。
【図５】キャップの構成を示す図である。
【図６】実施の形態の作用を示す説明図である。
【発明を実施するための形態】
【００１１】
以下、本発明の実施の形態について説明する。
図１は実施の形態の電源ソケットを示し、（Ａ）は上面図、（Ｂ）は側面図、図２は図１の（Ａ）におけるＡ−Ａ部拡大断面図である。
電源ソケット１は、ケース２と、ケース２の奥端に取り付けられて端子、フューズおよび接点を組み込んだ端子／フューズアセンブリ３と、ケース２の開口端に取り付けられたキャップ７０とで構成されている。
なお、ここではケース２が上方に開口しているものとして説明する。
ケース２は、樹脂製のアウタケース１０と金属製のインナケース３０とからなる。アウタケース１０は円筒部１１を主体とし、円筒部１１の開口端まわりに飾り部１３が形成されている。インナケース３０はアウタケース１０の円筒部１１内に密着状態に挿入され、円筒部１１の開口端近傍から下端近傍まで略全長にわたって延びている。
【００１２】
インナケース３０の下端部内側には端子／フューズアセンブリ３が嵌め込まれ、下方に延びる端子５とともにビス７による共締めで結合され、インナケース３０は電気製品のプラグに対する一方の接点となる。
とくに図２に示すように、端子／フューズアセンブリ３は、端子６を支持するとともに接点円盤４７およびフューズ６０を収容する樹脂製のフューズボックス４０を樹脂製のストッパプレート５０で蓋をして構成してある。
端子６はフューズボックス４０の底壁４２を貫通して下方へ延びるとともに、フューズボックス４０内において折り曲げられ、底壁４２上を延びている。
図３に示すように、フューズ６０は薄板の弾性導電板６１に、過熱により溶融する樹脂材の溶融体６５を備えている。弾性導電板６１はリング部６２と、リング部６２から内方に延びる舌片６３とからなり、溶融体６５は円管状をなしリング中央に位置して舌片６３上に支持されている。
【００１３】
フューズボックス４０内には、側壁４１の所定部位から内方へ突出し、底壁４２から上方へオフセットしたフューズ支持部４３が設けられ、弾性導電板６１におけるリング部６２の中心を挟んで舌片６３の根元と反対側を載置している。
接点円盤４７は弾性導電板６１のリング部６２に重なり、同時に溶融体６５に当接してこれを下方に押し下げるので、溶融体６５を支持する舌片６３が押し下げられる。
これによりリング部６２における舌片６３がつながる側が下方に引かれて、弾性導電板６１が傾斜状態に弾性変形し、底壁４２上を延びる端子６に接触する。リング部６２の接点円盤４７と接触する側および舌片６３がつながって端子６に接触する側の外周縁にはそれぞれプレス起し部６４が形成されて接触を確実にしている。
【００１４】
図２に示すように、ストッパプレート５０はその上壁５１の外縁から下方に延びる連結壁５３に係止穴５４を備え、フューズボックス４０の側壁４１に爪４４を有する。この爪４４と係止穴５４が係合することにより、ストッパプレート５０はフューズボックス４０と結合し、接点円盤４７と弾性導電板６１との接触状態を保持する。これにより、接点円盤４７と端子６が弾性導電板６１を介して電気的に導通状態となっている。
ストッパプレート５０の上壁５１は中央に穴５２を有し、ケース２に挿入されるプラグ先端の電極が通過して接点円盤４７に接触可能となっている。
【００１５】
ストッパプレート５０の連結壁５３の下端には外方に張り出す突起５５が設けられ、突起５５がアウタケース１０の下端部に形成された切り欠き２５に係止して、ストッパプレート５０の上方への変位が規制される。
また、フューズボックス４０の側壁４１外面には、図２とは異なる断面において、インナケース３０の下端を受けるとともに、下方に面して係止面を備える複数の係止爪４５が設けられ、アウタケース１０の下端部に形成された係止穴２６に係止して（図１の（Ｂ）参照）、フューズボックス４０の下方への変位が規制される。
これにより、端子／フューズアセンブリ３のケース２に対する取り付け位置が固定される。
なお、アウタケース１０の端子／フューズアセンブリ３に一部かかる部位には、水抜き穴２７を形成してある。インナケース３０にも水抜き穴２７と重なる水抜き穴３７（図２参照）を形成してある。
【００１６】
つぎに、図４はアウタケース１０のみを示し、（Ａ）は斜視図（Ｂ）は上面図、（Ｃ）は正面図、（Ｄ）は側面図である。
アウタケース１０の飾り部１３は、電源ソケット１を取り付ける取付け壁の穴縁に着座させるためのフランジ１４を円筒部１１の上部開口端から所定距離だけ下方に形成し、そのフランジ１４上面から意匠飾りを兼ねたストップブロック１５（１５ａ、１５ｂ、１５ｃ）を開口端より上方まで立ち上げている。
ストップブロック１５はそれぞれ周方向約１／９の長さをもって周方向等分位置に３箇所設けられている。ストップブロック１５の径方向外側面はフランジ１４の外周縁に沿って上方に延びる外縦壁１７、内側面は円筒部１１の外周に連なるとともに開口端より上方は外側面と同軸の円弧面で延びる内縦壁１８となっている。また、周方向両端の側縦壁１９は互いに略平行に形成されている。これにより、複数のストップブロック１５間は周方向における凹部となっている。
そして、ストップブロック１５の上面は内径側から外径側に向かってなだらかに下がる曲面となっており、内縦壁１８および外縦壁１７への移行部はアール（Ｒ）面取りされている。
【００１７】
１つのストップブロック１５ａには、その周方向中央を通る直径線に対して垂直方向の軸孔２０を設けてあり、ヒンジ構成部位となる。
ストップブロック１５ａに対して周方向反対側で、２つのストップブロック１５ｂ、１５ｃの間の円筒部１１の外周面には門形の枠部２１を形成してある。枠部２１の門幅（周方向幅）は後述するキャップ７０の爪８１の幅より大きく設定してある。
なお、円筒部１１の外面には、フランジ１４から所定距離下方に爪２３が設けられて、取付け壁の裏面に係止して抜け止めされるようになっている。
円筒部１１の外面にはさらに、電源ソケット１の回転位置を規定するためのガイド条２４が形成してある。
図４において、２８は端子５をインナケース３０に固定するためのビス７を通す切り欠きである。
【００１８】
図５はキャップ７０を示し、（Ａ）は平面図、（Ｂ）は正面図、（Ｃ）は背面図、（Ｄ）は側面図、（Ｅ）は裏面図、（Ｆ）は斜視図である。
キャップ７０は樹脂製で、（Ａ）の平面図において円を基本形とする主部７１から全体として花弁状に外方３方に延びる拡径部７２（７２ａ、７２ｂ、７２ｃ）を有している。
主部７１は上面中央がわずかに盛り上がる一方、裏面は拡径部７２に及ぶまで平坦となっている。
拡径部７２は外広がりで、アウタケース１０の飾り部１３におけるストップブロック１５間の周方向間隙に嵌り込むように配置され、外方に延びる側縁７３とストップブロック１５の周方向両端の側縦壁１９との間に所定間隙Ｓ（図１参照）ができるように設定される。
【００１９】
隣接する所定の２つの拡径部７２ｂ、７２ｃには、両者間の間隙の中間を通る直径線Ｐに対して垂直方向の軸孔７６をもつ軸支持部７５が設けられ、軸孔７６をそれぞれの側縁７３が含まれる平行平面上で対向させて開口している。軸孔７６の高さ位置は主部７１の裏面よりわずかに低く設定してある。
軸支持部７５を備えない他の拡径部７２ａには、その上面から外周を越えてわずかに外方に突出する指掛部７７を設けてある。指掛部７７を除いて、拡径部７２の上面は径方向においてわずかに盛り上がった山形の曲面とし、外周縁７４に沿ってはアール面取りしてある。なお、先の図１では簡単のため拡径部７２上面の曲がり線は省略してある。
先の飾り部１３のストップブロック１５の上面における内径側から外径側に向かってなだらかに下がる曲面は上記山形の曲面の頂部から外側を倣ったものであり、山形の頂部から内側は内径側の内縦壁１８との間のアール面取り領域に入っている。
【００２０】
各拡径部７２の裏面には所定高さの円弧壁７９が形成されている。円弧壁７９は主部７１と同心で、内側の径をアウタケース１０の円筒部１１の開口端外周に対して余裕をもたせた大径にしてある。
とくに指掛部７７を備える拡径部７２ａの円弧壁７９は、その根元に周方向のスリット８０を設けて径方向に撓みやすくしてあり、また、その内壁に爪８１を形成してある。
【００２１】
キャップ７０の軸支持部７５と飾り部１３のストップブロック１５ａの各軸孔７６、２０にヒンジピン３８を通してヒンジＨが形成され、これによりキャップ７０がケース２（アウタケース１０）に連結される。
キャップ７０をヒンジまわりに回転させ、指掛部７７側を押し込むと、円弧壁７９がわずかに撓んで爪８１が円筒部１１の枠部２１を乗り越え、当該枠部２１に係止して、図２に示すように、円筒部１１の開口端まわりをカバーする。この状態で、図１に示すように、キャップ７０の円弧壁７９の下縁が飾り部１３のフランジ１４に着座または近傍に位置し、また、拡径部７２の上面が飾り部１３のストップブロック１５の上面と連続性をもつように設定してある。
また、拡径部７２の側縁７３とストップブロック１５の側縦壁１９間の所定間隙Ｓ（図１参照）は、キャップ７０を開いた位置から円筒部１１の開口端をカバーするまでの回転操作の間に互いに干渉しない限りでできるだけ狭く設定するのが好ましい。
【００２２】
以上の構成になる電源ソケット１では、キャップ７０を閉じるとキャップ７０の凸部としての拡径部７２と飾り部１３の周方向におけるストップブロック１５間の凹部とが互いに嵌り合う。
したがって、例えば横方向からの外力Ｆが作用した場合、キャップ７０はストップブロック１５ａを含むヒンジＨ部を軸として回動しようとするため、図６に示すように、拡径部７２ｃの側縁７３がストップブロック１５ｂの側縦壁１９に当接し、さらには拡径部７２ａの側縁７３がストップブロック１５ｃの側縦壁１９に当接して側縁７３と側縦壁１９間の間隙Ｓを詰める。拡径部７２ａ、７２ｃにかかる反力はその面に沿った方向であり、これに対する剛性が高いから、拡径部７２ａ、７２ｃや主部７１が変形することもなく、キャップ７０は間隙Ｓを詰める以上の変位を阻止される。
【００２３】
この結果、キャップ７０の回動量が小さく抑えられて、ヒンジＨに過大な捻れが作用しないのでヒンジＨ部の破損も生じない。
この際、キャップ７０の爪８１が係止するケース２側の枠部２１の門幅が大きいため、拡径部７２ｃの側縁７３がストップブロック１５ａ、１５ｂの側縦壁１９に当接するまでのキャップ７０の変位では係止が外れることはなく、したがってキャップ７０が開いてしまうこともない。
また、キャップ７０が閉じた状態では、キャップ７０の円形の主部７１を拡径部７２と飾り部１３のストップブロック１５とが取り囲んだ花模様を呈して意匠的にも高級感を与える。
指掛部７７を持ち上げれば爪８１と枠部２１の係合が外れて、容易にキャップ７０を開くことができる。
【００２４】
本実施の形態では、キャップ７０の拡径部７２が発明における凸部に該当し、円筒部１１の周方向におけるストップブロック１５間が凹部に該当する。
ストップブロック１５がそれぞれブロックに該当し、その側縦壁１９がブロックの側壁に該当している。また、円弧壁７９が周方向壁に該当する。
【００２５】
実施の形態は以上のように構成され、キャップ７０がケース２の開口端に対向する主部７１と、主部７１から外方に延長された拡径部７２とを有し、ケース２には、開口端の外周に連なって軸方向に延び、キャップ７０を閉じたときに拡径部７２の側縁７３と対向する側縦壁１９を備えるストップブロック１５（１５ａ、１５ｂ、１５ｃ）が設けられて、上記拡径部７２を凸部とし、開口端における周方向のストップブロック１５（１５ａ、１５ｂ、１５ｃ）間を凹部としてキャップ７０の閉状態で互いに係合するものとしたので、キャップ７０に横方向からの外力が作用しても、拡径部７２の側縁７３がストップブロック１５の側縦壁１９に当接してキャップ７０の大きな変位を阻止しヒンジＨ部の破損などが防止される。
【００２６】
さらに、拡径部７２は開口端の外側を囲む円弧壁７９を備えているので、周方向の剛性がとくに高く、キャップ７０自体の変形や破損も防止される。
また、拡径部７２は外広がりにするとともに、主部７１の周上３方に延びて個数も少なく抑えているので、キャップを開く際に指を掛ける幅寸法を大きく確保することができる。
そしてとくに拡径部７２ａには、その外周縁７４よりも外方まで延びた指掛部７７を設けてあるので、必要な場合には指掛部７７の先端に指を掛けることにより小さな力でキャップ７０を開くことができる。
【００２７】
なお、実施の形態ではケース２側のストップブロック１５を周方向３個とし、これに対応させてキャップ７０の拡径部７２を略等分幅で３方に延びるものとしたが、指を掛ける拡径部の周方向幅を他の拡径部より大きく設定することにより、これらはそれぞれ４以上の任意の個数にしてもよい。
また、ストップブロック１５と拡径部７２の表面形状についても、実施の形態に示したものに限定されず、任意の意匠を飾り部に施すことができる。
【００２８】
実施の形態ではキャップ７０に拡径部７２を設けて凸部とし、ケース２の開口部周方向に複数のストップブロック１５を設けてそのストップブロック間を凹部としたが、これに限定されず、ケースの開口部外周に凸部を設け、キャップ側に凹部を設けて、周方向に互いに係合するように配置してもよい。
また、電源ソケット１を取り付ける取付け壁の穴縁に着座させるためのフランジ１４を、端子／フューズアセンブリ３を組み込む円筒部１１と一体に形成したものとしたが、取付け壁の穴縁に着座させる部分と円筒部とを別体に形成して組立体としてもよい。
【産業上の利用可能性】
【００２９】
本発明は、とくに車両等に装備される電源ソケットに適用して利便性が高く、有効である。
【符号の説明】
【００３０】
１    電源ソケット
２    ケース
３    端子／フューズアセンブリ
５、６    端子
７    ビス
１０    アウタケース
１１    円筒部
１３    飾り部
１４    フランジ
１５ａ、１５ｂ、１５ｃ    ストップブロック
１７    外縦壁
１８    内縦壁
１９    側縦壁
２０    軸孔
２１    枠部
２３    爪
２４    ガイド条
２５、２８    切り欠き
２６    係止穴
２７、３７    水抜き穴
３０    インナケース
３８    ヒンジピン
４０    フューズボックス
４１    側壁
４２    底壁
４３    フューズ支持部
４４    爪
４５    係止爪
４７    接点円盤
５０    ストッパプレート
５１    上壁
５２    穴
５３    連結壁
５４    係止穴
５５    突起
６０    フューズ
６１    弾性導電板
６２    リング部
６３    舌片
６４    プレス起し部
６５    溶融体
７０    キャップ
７１    主部
７２ａ、７２ｂ、７２ｃ    拡径部
７３    側縁
７４    外周縁
７５    軸支持部
７６    軸孔
７７    指掛部
７９    円弧壁
８０    スリット
８１    爪
Ｈ    ヒンジ
【図１】
2013105696.tif 000003
【図２】
2013105696.tif 000004
【図３】
2013105696.tif 000005
【図４】
2013105696.tif 000006
【図５】
2013105696.tif 000007
【図６】
2013105696.tif 000008